(57)【要約】【課題】  床面との距離が狭い永久磁石型磁気回路を、通常の鉄製のジャッキを使用しながらも、磁気回路に吸引されることなく安全にジャッキアップする方法等を提供する。【解決手段】  空隙を隔てて対向する、厚み方向に磁化された１対の永久磁石と、該永久磁石に対向面側に設けられる１対の磁極片と、該永久磁石及び該空隙の外側に設けられる継鉄と、該継鉄に取り付けた非磁性の張り出しとを含んでなる、該磁極片間に磁場を発生させる永久磁石対向型磁気回路を提供する。また、空隙を隔てて対向する、厚み方向に磁化された１対の永久磁石と、該永久磁石に対向面側に設けられる１対の磁極片と、該永久磁石及び該空隙の外側に設けられる継鉄を含んでなり、該磁極片間の空隙に磁場を発生させる永久磁石対向型磁気回路をジャッキアップする際に、着脱可能な非磁性の張り出しを継鉄に取り付けて行なうことを特徴とする磁気回路のジャッキアップ方法を提供する。 【選択図】  なし【特許請求の範囲】
【請求項１】
空隙を隔てて対向する、厚み方向に磁化された１対の永久磁石と、
該永久磁石に対向面側に設けられる１対の磁極片と、
該永久磁石及び該空隙の外側に設けられる継鉄と、
該継鉄に取り付けた非磁性の張り出しと
を含んでなる、該磁極片間に磁場を発生させる永久磁石対向型磁気回路。
【請求項２】
上記張り出しが、着脱可能である請求項１に記載の永久磁石対向型磁気回路。
【請求項３】
空隙を隔てて対向する、厚み方向に磁化された１対の永久磁石と、
該永久磁石に対向面側に設けられる１対の磁極片と、
該永久磁石及び該空隙の外側に設けられる継鉄を含んでなり、
該磁極片間の空隙に磁場を発生させる永久磁石対向型磁気回路をジャッキアップする際に、着脱可能な非磁性の張り出しを継鉄に取り付けて行なうことを特徴とする磁気回路のジャッキアップ方法。 
【請求項４】
上記ジャッキアップが、爪付ジャッキを用いることを特徴とする請求項３に記載のジャッキアップ方法。
【発明の詳細な説明】
【技術分野】
【０００１】
本発明は、永久磁石方磁気回路及び永久磁石型磁気回路のジャッキアップ方法に関するものである。
【背景技術】
【０００２】
磁気共鳴イメージング装置向けの永久磁石を用いた磁場発生装置は希土類磁石を用いた磁石対向型磁気回路が主流となっている。この磁石対向型磁気回路では、磁石からの磁束を通すための継鉄と磁石、そして空隙側に均一な磁界を発生させるために一般に磁石表面に軟鉄など軟質磁性体からなる磁極片が設けてある。
【０００３】
永久磁石対向型磁気回路は、超伝導のソレノイドコイル型に比べ、開口部が広く被験者の受ける閉塞感が緩和されるという特長を持つ。この開口部は、工場から実際に使用する病院への搬送時には、特許文献１に示されるように塞がれる。
【特許文献１】特許第２９６５９６８号
【発明の開示】
【発明が解決しようとする課題】
【０００４】
しかし、永久磁石対向型磁気回路は、広い開口部のため、同時に外部からの磁性体の侵入も起こり易いという問題点がある。搬送時には磁気回路を持ち上げる必要のある状況が必ず発生する。磁気回路を上げる能力を持つクレーンが使用できる環境であれば良いが、病院内での搬送ではクレーンが使用できることは先ず無く、そのような場合にはジャッキを使用することになる。しかしながら、ジャッキは一般に鉄製であり、開口部が塞いであるとは言え、磁場により強力に吸引され、危険な状況になる場合もあり問題となっていた。
ダルマジャッキと呼ばれる、背の低いジャッキを磁気回路の下に入れてジャッキアップする方法もあるが、磁気回路の下面と床との距離がさらに狭いとこれも不可能である。最近のＭＲＩ等では、検者への作業のしやすさの点から、磁気回路を従来より下方向にする傾向があり、磁気回路の下面と床との距離が狭くなる傾向にある。
【課題を解決するための手段】
【０００５】
本発明は、上記問題点を解決し、通常の鉄製のジャッキを使用しながらも、床面との距離が狭い永久磁石型磁気回路をジャッキアップする方法を提示するものである。
すなわち、本発明は、空隙を隔てて対向する、厚み方向に磁化された１対の永久磁石と、
該永久磁石に対向面側に設けられる１対の磁極片と、該永久磁石及び該空隙の外側に設けられる継鉄と、該継鉄に取り付けた非磁性の張り出しとを含んでなる、該磁極片間に磁場を発生させる永久磁石対向型磁気回路を提供する。
上記張り出しは、好ましくは、着脱可能であることが良い。
また、本発明は、空隙を隔てて対向する、厚み方向に磁化された１対の永久磁石と、該永久磁石に対向面側に設けられる１対の磁極片と、該永久磁石及び該空隙の外側に設けられる継鉄を含んでなり、該磁極片間の空隙に磁場を発生させる永久磁石対向型磁気回路をジャッキアップする際に、着脱可能な非磁性の張り出しを継鉄に取り付けて行なうことを特徴とする磁気回路のジャッキアップ方法を提供する。 
上記ジャッキアップは、好ましくは、爪付ジャッキを用いると良い。
【発明の効果】
【０００６】
本発明によれば、非磁性の張り出しを用いることによりジャッキを磁気回路に直接接することなく、ある程度磁気回路と間隔を設けた形でジャッキをかけられるため、ジャッキが磁気回路に吸引されることが無く安全に作業できる。
【発明を実施するための最良の形態】
【０００７】
本発明の永久磁石対向型磁気回路（張り出し部を除く）の一例の概略図を図１に示す。このように、磁石からの磁束を通すための継鉄１と、上下一対の永久磁石２、そして空隙側に均一な磁界を発生させるために永久磁石２の表面に磁極片３を備える。これらの構成要素は、特に限定されず、通常のものが使用できる。
【０００８】
永久磁石は、特に限定されないが、通常、希土類、フェライト、アルニコ等から選ばれる。磁極片は、特に限定されないが、通常、軟鉄など軟質磁性体からなる。継鉄は、対向する磁石を継ないで、磁界を発生させるもので、通常、磁石の側面部にあり、磁気回路の上下部及び側面または柱部に位置するものである。
磁気回路の形状は、図１に示すＣ型に限らず、Ｈ型、円筒状いずれの形状であってもよい。
【０００９】
張り出しの取り付け位置とジャッキの例を図２と図３に示すが、本発明はこれらに限定されるものでない。
図２は、継鉄３の柱部の下部両隅の張り出し４ａ、４ｂと、開口部の上下部にまたがる張り出し４ｃを設け、ジャッキ５を設定している。図３は、継鉄３の柱部の下部両隅張り出し４ａ、４ｂと、磁気回路の下部で架橋させた張り出し４ｄを設け、ジャッキ５を設置している。張り出しの設置位置は、開口部の中心、磁気回路の隅でも継鉄部に固定できる位置であればよい。
【００１０】
ジャッキアップする張り出しは、好ましくは、磁気回路の上下継鉄部及び柱状継鉄部のいずれか又はその近傍に、取り付けることができる。継鉄に取り付けると、ジャッキを磁気回路に直接接することなく、ある程度磁気回路と間隔を設けた形でジャッキをかけられるため、ジャッキが磁気回路に吸引されることが無く安全に作業できる。
【００１１】
張り出しは、非磁性体であることが好ましい。
張り出しの材質は、非磁性で十分な強度を持つ非磁性ステンレスや真鍮，強化アルミニウムなどが好ましい。
【００１２】
張り出しの形状は、板状その他形状でも構造上磁気回路の重量に耐えうる形であることが望ましい。
本発明の一つの特徴は、張り出しを使用することで漏洩磁界の小さなところでジャッキ掛けができることにある。漏洩磁界の張り出しの大きさ（磁性体ではない。）は、ジャツキを掛けるところの漏洩磁界が０．０１Ｔ（１００Ｇ）以下になっているように設計して取り付けることが望ましい。これは、０．０１Ｔよりも漏洩磁界が大きいところでは、ジャッキなどの磁性体への磁場による吸引力が強くなり、場合によっては吸引されたジャッキと磁気回路の間に手を挟むなどの危険な状況が発生しかねないためである。０．０１Ｔよりも漏洩磁界が小さいところでは、吸引力は弱くなり、上記のような危険性は減少する。そのため、ジャッキを設置する漏洩磁界が大きい場合には、張り出しを長くして漏洩磁界の低いところでジャッキ掛けができるように調整することが望ましい。さらに、張り出しが非磁性であるため、漏洩磁界によって誘導される磁化もなく、張り出しが磁性である場合よりもジャッキとの吸引力を小さくすることができる。
搬送を終了し所望の位置に設置後は、張り出しを取り外せば、設置面積を大きくすることも無く、コンパクトにできる。
【００１３】
ジャッキアップする張り出しの取り付け方法は、好ましくは、継鉄に設けた取り付け用のネジ穴にて張り出しを固定する。ボルトの材質は、張り出しと同種のもの、特に非磁性のものが好ましい。これにより、着脱時に磁場による吸引を防ぐことができ、着脱による磁場の乱れが発生しないようにできる。
ネジを使用して取り付けることで着脱可能とすることが好ましいが、これに限定されるものではない。
【００１４】
本発明の永久磁石化対向型磁気発生回路の張り出しにジャッキをかけて、運搬・搬送用のローラー、コンテナ等に載せるために、扱う磁気回路の寸法により異なるが、好ましくは、５〜２０ｃｍジャッキアップする。
ジャッキアップの方法は、油圧式、空圧式、機械式のいずれかのジャッキ方法を用いることができる。ジャッキの種類としては、爪付ジャッキやダルマジャッキ等から選択することができるが、磁気回路と床面との距離の点から爪付ジャッキを選択したほうが好ましい。ジャッキは、従来から用いられている鉄製だけでなく、非磁性体からなるジャッキを用いてもよい。
また、磁気回路をジャッキアップするにあたり、ジャッキの許容荷重は磁気回路の重量に相当していることが必要である。
【実施例】
【００１５】
磁気回路に取り付ける着脱可能な張り出しの例について示す。
図２のようにＣ型の継鉄形状の中心磁場強度０．２Ｔ、Ｇａｐ３８０ｍｍの磁気回路にとりつけた例を示す。磁気回路重量は８トンである。
漏洩磁界の小さい継鉄下柱側には、ＳＵＳ３０４製の山形鋼を利用して、やはりＳＵＳ３０４製のＭ３０ボルト４本で２箇所固定し、開口部の中心部には、やはりＳＵＳ３０４製のＨ鋼をＳＵＳ３０４製のＭ３０ボルト４本で上下の継鉄に取り付け漏洩磁場の弱いところでつめ付き油圧式ジャッキ掛けできるようにした。特に開口部側は、４０ｃｍ離し漏洩磁界０．００７５Ｔ（７５Ｇ）のところとした。（３０ｃｍでは０．０１５Ｔ（１５０Ｇ）の漏洩磁界）一番大きな張り出しでも重量は５０ｋｇ程度であり、作業者２名で扱うことができ、漏洩磁界が弱いところで通常の鉄製ジャッキが使用できた。ジャッキ掛け作業終了後は、ネジを外すことで張り出しを外し、磁気回路本体のみで搬送することができた。
【００１６】
本発明により、通常使用されている爪付ジャッキで安全にジャッキアップすることが可能となった。着脱可能なため、従来と同じ形状の磁気回路においても取り付け用のネジ穴を設ければ適用可能である。
【図面の簡単な説明】
【００１７】
【図１】本発明の永久磁石対向型磁気回路（張り出しを除く）の一例の概略図である。
【図２】張り出しの取り付け位置とジャッキの例を示す。
【図３】張り出しの取り付け位置とジャッキの例を示す。
【符号の説明】
【００１８】
１  永久磁石
２  磁極片
３  継鉄
４ａ  張り出し
４ｂ  張り出し
４ｃ  張り出し
４ｄ  張り出し
５  ジャッキ
【図１】
2005245661.tif 000002
【図２】
2005245661.tif 000003
【図３】
2005245661.tif 000004